(57)【要約】【課題】本発明は収納可能なニット帽展示装置を開示した。【解決手段】主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられる。【選択図】図１
2020151429.tif 000002
【特許請求の範囲】
【請求項１】
収納可能なニット帽展示装置であって、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結される；前記回転盤を回して前記弾性板と前記上支持ブロックを連動させて支持を行わせ、前記押圧板を押圧して前記解錠装置のロックを自動的に解除できることを特徴とする収納可能なニット帽展示装置。
【請求項２】
前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置される；前記スライドブロックが前記支持ロッドを移動連動させ、前記押しロッドが移動する時前記上支持ブロックを昇降連動させることを特徴とする請求項１に記載の収納可能なニット帽展示装置。
【請求項３】
前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結される；前記回転盤を回し、前記回転柱によって前記支持装置を連動させて作動させることを特徴とする請求項１に記載の収納可能なニット帽展示装置。
【請求項４】
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御する；前記固定ロッドが前記固定ロッドチャンバの中で回転でき、前記固定ロッドによって前記ラチェットを上昇連動させて前記内ラチェットと噛合状態から離脱させてロックを解除することを特徴とする請求項１に記載の収納可能なニット帽展示装置。
【発明の詳細な説明】
【技術分野】
【０００１】
本発明は商品道具技術分野に関し、具体的には収納可能なニット帽展示装置である。
【背景技術】
【０００２】
ショッピングモールには帽子専門店の軒が多く、帽子の魅力をより良く展示するため、マネキンヘッドに帽子がかぶられている風景がよく見られる；しかし、もし展示するニット帽が多いであれば、マネキンヘッドの収納にはかなりの空間が占められ、不便をもたらし、そのため、収納可能なニット帽展示装置は実に必要であり、本発明装置は収納の機能を果たすだけでなく、サイズを換えて異なった帽子に適応できる。
【先行技術文献】
【特許文献】
【０００３】
【特許文献１】中国特許出願公開第109171343号明細書
【発明の概要】
【発明が解決しようとする課題】
【０００４】
本発明の目的は収納可能なニット帽展示装置を提供し、それは上記の現在の技術中の問題を解決できる。
【課題を解決するための手段】
【０００５】
本発明は以下の技術プランを通じて実現する：本発明の収納可能なニット帽展示装置は、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結される；前記回転盤を回して前記弾性板と前記上支持ブロックを連動させて支持を行わせ、前記押圧板を押圧して前記解錠装置のロックを自動的に解除できる。
【０００６】
優選的には、前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置される；前記スライドブロックが前記支持ロッドを移動連動させ、前記押しロッドが移動する時前記上支持ブロックを昇降連動させる。
【０００７】
優選的には、前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結される；前記回転盤を回し、前記回転柱によって前記支持装置を連動させて作動させる。
【０００８】
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御する；前記固定ロッドが前記固定ロッドチャンバの中で回転でき、前記固定ロッドによって前記ラチェットを上昇連動させて前記内ラチェットと噛合状態から離脱させてロックを解除する。
【発明の効果】
【０００９】
本発明の有益効果は：本発明は構造が簡単で、操作が便利で、本装置を使ってニット帽を展示する時、ニーズに応じてサイズを調整でき、使わない時に収縮して収納に便利を与える。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の収納可能なニット帽展示装置の内部全体構成略図である；
【図２】図２は図１のＡの拡大略図である；
【図３】図３は図１のＢの拡大略図である。
【発明を実施するための形態】
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３を参照し、本発明の収納可能なニット帽展示装置は、主体１１を含み、前記主体１１の中には支持装置１０１が設置され、前記主体１１の下側には回転装置１０２が設置され、前記回転装置１０２の中には解錠装置１０３が設置され、前記支持装置１０１は前記主体１１の前後左右四側の端面に設置される回転できる弾性板１３を含み、前記主体１１の中には外に開口したチャンバ１４が環状の陳列で設置され、前記チャンバ１４の中には支持ロッド１５が設置され、前記支持ロッド１５の一端が前記弾性板１３の下端にヒンジによって連結され、前記支持ロッド１５の上側には押しロッド１６が設けられ、前記主体１１の上側には上支持ブロック１７が設けられ、前記回転装置１０２が前記主体１１の下側に位置する回転盤１８を含み、前記回転盤１８の上端には前記主体１１の中に伸びている回転柱１９が固定的に設置され、前記主体１１の中には平歯車チャンバ２０が設置され、前記主体１１の中の中部位置には傘歯車チャンバ２１が設置され、前記回転柱１９が前記平歯車チャンバ２０を通り抜けて前記傘歯車チャンバ２１の中に伸びており、前記解錠装置１０３は前記回転盤１８の中に設置される下に開口した押圧チャンバ２２を含み、前記押圧チャンバ２２の中には押圧板２３がスライドできるように設置され、前記押圧板２３の上端と前記押圧チャンバ２２の上端壁との間には押圧ばね２４が固定的に連結され、前記押圧チャンバ２２の上側には前記回転柱１９の中に伸びている伸縮チャンバ２５が連通して設置され、前記押圧板２３の上端には前記伸縮チャンバ２５の中に伸びている伸縮ロッド２６が固定的に連結される；前記回転盤１８を回して前記弾性板１３と前記上支持ブロック１７を連動させて支持を行わせ、前記押圧板２３を押圧して前記解錠装置１０３のロックを自動的に解除できる。
【００１４】
有益的には、前記支持装置１０１は前記チャンバ１４の下側に連通して設けられるスライドチャンバ２７を含み、前記スライドチャンバ２７の中にはスライドブロック２８がスライドできるように設けられ、前記スライドブロック２８の下端面にはラック３０が固定的に設置され、前記支持ロッド１５の一端が前記スライドブロック２８の上端にヒンジによって連結され、前記チャンバ１４の上側には外に開口した押しロッドチャンバ３１が対応的に設置され、前記押しロッド１６が前記押しロッドチャンバ３１の中にスライドできるように設けられ、前記弾性板１３の中にはスライド溝３２が前後に貫通して設置され、前記押しロッド１６の一端には前記スライド溝３２の中に伸びているスライドロッド３３が固定的に連結され、前記押しロッド１６の中にはねじ山チャンバ３４が設置され、前記ねじ山チャンバ３４の中にはねじボルト３５がねじ山によって連結され、前記押しロッドチャンバ３１の上側には前記押しロッドチャンバ３１と対応する昇降チャンバ３６が連通して設けられ、前記昇降チャンバ３６の中には昇降ブロック３７がスライドできるように設置され、前記昇降ブロック３７の下端面の一端にはヒンジロッド３８がヒンジによって連結され、前記ヒンジロッド３８の下端が前記押しロッド１６の上端面の一端にヒンジによって連結され、前記上支持ブロック１７が前記昇降ブロック３７の上端に固定的に設置される；前記スライドブロック２８が前記支持ロッド１５を移動連動させ、前記押しロッド１６が移動する時前記上支持ブロック１７を昇降連動させる。
【００１５】
有益的には、前記回転装置１０２は前記スライドチャンバ２７の下側に連通して設けられる伝動チャンバ３９を含み、前記伝動チャンバ３９の中には前記ラック３０と噛み合う歯車４０が回転できるように設置され、前記歯車４０の一端には従動傘歯車４１が固定的に連結され、前記従動傘歯車４１の一端には前記従動傘歯車４１と噛み合える駆動傘歯車４２が回転できるように設置され、前記駆動傘歯車４２の下端には伝動軸４３が固定的に設置され、前記伝動軸４３の下端が前記平歯車チャンバ２０の中に伸びており、且つ前記伝動軸４３の下端には従動平歯車４４が固定的に設置され、両側の前記従動平歯車４４の間にはそれぞれ両側の前記従動平歯車４４と噛み合い、且つ前記回転柱１９に固定的に連結される駆動平歯車４５が回転できるように設置され、前記回転柱１９の上端が前記傘歯車チャンバ２１の中に伸びて動力傘歯車４６と固定的に連結され、前記動力傘歯車４６の下端と前記傘歯車チャンバ２１の下壁との間にはねじりばね４７が固定的に連結され、前記動力傘歯車４６の前後左右の四つの方向においては前記動力傘歯車４６と噛み合う伝動傘歯車４８が回転できるように設置され、前記ねじボルト３５が前記伝動傘歯車４８に固定的に連結される；前記回転盤１８を回し、前記回転柱１９によって前記支持装置１０１を連動させて作動させる。
【００１６】
有益的には、前記解錠装置１０３は前記傘歯車チャンバ２１の下側に設置される解錠チャンバ４９を含み、前記解錠チャンバ４９の中には解錠ブロック５０がスライドできるように設けられ、前記解錠ブロック５０の下端にはラチェット５１が固定的に設置され、前記解錠ブロック５０と前記ラチェット５１の中には抜き穴５２が上下に貫通して設置され、前記回転柱１９が前記抜き穴５２を通り抜け、且つ前記回転柱１９には前記ラチェット５１と一方向に噛み合う内ラチェット５３が固定的に連結され、前記抜き穴５２の外側において前記解錠ブロック５０の中には固定ロッドチャンバ５４が連通して設けられ、前記伸縮チャンバ２５の左右両側には固定ロッドスライドチャンバ５５が対称的に連通して設けられ、前記伸縮ロッド２６の上端には前記固定ロッドスライドチャンバ５５を通り抜けて前記固定ロッドチャンバ５４の中に伸びている固定ロッド５６が左右に対称的に固定的に設置され、前記解錠ブロック５０の左右両側には復帰装置６０が設けられ、前記復帰装置６０によって前記解錠ブロック５０の下への摺動と復帰を制御する；前記固定ロッド５６が前記固定ロッドチャンバ５４の中で回転でき、前記固定ロッド５６によって前記ラチェット５１を上昇連動させて前記内ラチェット５３と噛合状態から離脱させてロックを解除する。
【００１７】
初期状態のとき、弾性板１３が鉛直状態にあり、支持ロッド１５がチャンバ１４の中に収縮しており、押しロッド１６が押しロッドチャンバ３１の中に収縮しており、昇降ブロック３７が昇降チャンバ３６の中に収縮している。
【００１８】
広がる時、回転盤１８を回し、回転柱１９によって駆動平歯車４５と動力傘歯車４６を回転連動させ、駆動平歯車４５が歯車噛合によって従動平歯車４４を回転連動させ、伝動軸４３によって駆動傘歯車４２を回転連動させ、歯車噛合によって従動傘歯車４１を回転連動させて歯車４０を回転連動させ、歯型噛合によってラック３０を連動させて遠離し合わせさせ、支持ロッド１５によって弾性板１３の下端を外に回転連動させ、この時動力傘歯車４６が歯車噛合によって伝動傘歯車４８を回転連動させてねじボルト３５を回転連動させ、ねじ山による連結を通じて押しロッド１６を外に移動連動させ、スライドロッド３３がスライド溝３２に沿ってスライドして弾性板１３の中部を外に突いて弧状に形成し、この時押しロッド１６がヒンジロッド３８によって昇降ブロック３７を上昇連動させて上支持ブロック１７を上昇連動させ、それからニット帽を本装置に被せて展示し、内ラチェット５３とラチェット５１が一方向に噛み合って回転できなく、ニーズに応じて回転盤１８を回して調整できる；回収する時、押圧板２３を押し、伸縮ロッド２６によって固定ロッド５６を上に移動連動させ、解錠ブロック５０を押し動かして上昇させ、この時ラチェット５１と内ラチェット５３とが噛合から離脱し、ねじりばね４７の弾力によって装置が逆方向に回転してリセットされる。
【００１９】
本発明の有益効果は：本発明は構造が簡単で、操作が便利で、本装置を使ってニット帽を展示する時、ニーズに応じてサイズを調整でき、使わない時に収縮して収納に便利を与える。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020151429.tif 000003
【図２】
2020151429.tif 000004
【図３】
2020151429.tif 000005
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
収納可能なニット帽展示装置であって、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結されており、
使用者はニット帽を前記上支持ブロック及び前記弾性板により形成した外側面に被せることができることを特徴とする収納可能なニット帽展示装置。
【請求項２】
前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置されており、
前記スライドブロックが前記支持ロッドを移動連動させ、前記押しロッドが移動する時前記上支持ブロックを昇降連動させることを特徴とする請求項１に記載の収納可能なニット帽展示装置。
【請求項３】
前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結されており、
前記回転盤を回し、前記回転柱によって前記支持装置を連動させて作動させることを特徴とする請求項１に記載の収納可能なニット帽展示装置。
【請求項４】
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御でき、
前記固定ロッドが前記固定ロッドチャンバの中で回転でき、前記固定ロッドによって前記ラチェットを上昇連動させて前記内ラチェットと噛合状態から離脱させてロックを解除することを特徴とする請求項１に記載の収納可能なニット帽展示装置。
【手続補正２】
【補正対象書類名】明細書
【補正対象項目名】全文
【補正方法】変更
【補正の内容】
【発明の詳細な説明】
【技術分野】
【０００１】
本発明は商品道具技術分野に関し、具体的には収納可能なニット帽展示装置である。
【背景技術】
【０００２】
ショッピングモールには帽子専門店の軒が多く、帽子の魅力をより良く展示するため、マネキンヘッドに帽子がかぶられている風景がよく見られており、
しかし、もし展示するニット帽が多いであれば、マネキンヘッドの収納にはかなりの空間が占められ、不便をもたらし、そのため、収納可能なニット帽展示装置は実に必要であり、本発明装置は収納の機能を果たすだけでなく、サイズを換えて異なった帽子に適応できる。
【先行技術文献】
【特許文献】
【０００３】
【特許文献１】中国特許出願公開第109171343号明細書
【発明の概要】
【発明が解決しようとする課題】
【０００４】
本発明の目的は収納可能なニット帽展示装置を提供し、それは上記の現在の技術中の問題を解決できる。
【課題を解決するための手段】
【０００５】
本発明は以下の技術プランを通じて実現する：本発明の収納可能なニット帽展示装置は、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結されており、
使用者はニット帽を前記上支持ブロック及び前記弾性板により形成した外側面に被せることができる。
【０００６】
優選的には、前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置されており、
前記スライドブロックが前記支持ロッドを移動連動させ、前記押しロッドが移動する時前記上支持ブロックを昇降連動させる。
【０００７】
優選的には、前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結されており、
前記回転盤を回し、前記回転柱によって前記支持装置を連動させて作動させる。
【０００８】
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御でき、
前記固定ロッドが前記固定ロッドチャンバの中で回転でき、前記固定ロッドによって前記ラチェットを上昇連動させて前記内ラチェットと噛合状態から離脱させてロックを解除する。
【発明の効果】
【０００９】
本発明の有益効果は：本発明は構造が簡単で、操作が便利で、本装置を使ってニット帽を展示する時、ニーズに応じてサイズを調整でき、使わない時に収縮して収納に便利を与える。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の収納可能なニット帽展示装置の内部全体構成略図
【図２】図２は図１のＡの拡大略図
【図３】図３は図１のＢの拡大略図
【発明を実施するための形態】
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３を参照し、本発明の収納可能なニット帽展示装置は、主体１１を含み、前記主体１１の中には支持装置１０１が設置され、前記主体１１の下側には回転装置１０２が設置され、前記回転装置１０２の中には解錠装置１０３が設置され、前記支持装置１０１は前記主体１１の前後左右四側の端面に設置される回転できる弾性板１３を含み、前記主体１１の中には外に開口したチャンバ１４が環状の陳列で設置され、前記チャンバ１４の中には支持ロッド１５が設置され、前記支持ロッド１５の一端が前記弾性板１３の下端にヒンジによって連結され、前記支持ロッド１５の上側には押しロッド１６が設けられ、前記主体１１の上側には上支持ブロック１７が設けられ、前記回転装置１０２が前記主体１１の下側に位置する回転盤１８を含み、前記回転盤１８の上端には前記主体１１の中に伸びている回転柱１９が固定的に設置され、前記主体１１の中には平歯車チャンバ２０が設置され、前記主体１１の中の中部位置には傘歯車チャンバ２１が設置され、前記回転柱１９が前記平歯車チャンバ２０を通り抜けて前記傘歯車チャンバ２１の中に伸びており、前記解錠装置１０３は前記回転盤１８の中に設置される下に開口した押圧チャンバ２２を含み、前記押圧チャンバ２２の中には押圧板２３がスライドできるように設置され、前記押圧板２３の上端と前記押圧チャンバ２２の上端壁との間には押圧ばね２４が固定的に連結され、前記押圧チャンバ２２の上側には前記回転柱１９の中に伸びている伸縮チャンバ２５が連通して設置され、前記押圧板２３の上端には前記伸縮チャンバ２５の中に伸びている伸縮ロッド２６が固定的に連結されており、
使用者はニット帽を前記上支持ブロック１７及び前記弾性板１３により形成した外側面に被せることができる。
【００１４】
有益的には、前記支持装置１０１は前記チャンバ１４の下側に連通して設けられるスライドチャンバ２７を含み、前記スライドチャンバ２７の中にはスライドブロック２８がスライドできるように設けられ、前記スライドブロック２８の下端面にはラック３０が固定的に設置され、前記支持ロッド１５の一端が前記スライドブロック２８の上端にヒンジによって連結され、前記チャンバ１４の上側には外に開口した押しロッドチャンバ３１が対応的に設置され、前記押しロッド１６が前記押しロッドチャンバ３１の中にスライドできるように設けられ、前記弾性板１３の中にはスライド溝３２が前後に貫通して設置され、前記押しロッド１６の一端には前記スライド溝３２の中に伸びているスライドロッド３３が固定的に連結され、前記押しロッド１６の中にはねじ山チャンバ３４が設置され、前記ねじ山チャンバ３４の中にはねじボルト３５がねじ山によって連結され、前記押しロッドチャンバ３１の上側には前記押しロッドチャンバ３１と対応する昇降チャンバ３６が連通して設けられ、前記昇降チャンバ３６の中には昇降ブロック３７がスライドできるように設置され、前記昇降ブロック３７の下端面の一端にはヒンジロッド３８がヒンジによって連結され、前記ヒンジロッド３８の下端が前記押しロッド１６の上端面の一端にヒンジによって連結され、前記上支持ブロック１７が前記昇降ブロック３７の上端に固定的に設置されており、
前記スライドブロック２８が前記支持ロッド１５を移動連動させ、前記押しロッド１６が移動する時前記上支持ブロック１７を昇降連動させる。
【００１５】
有益的には、前記回転装置１０２は前記スライドチャンバ２７の下側に連通して設けられる伝動チャンバ３９を含み、前記伝動チャンバ３９の中には前記ラック３０と噛み合う歯車４０が回転できるように設置され、前記歯車４０の一端には従動傘歯車４１が固定的に連結され、前記従動傘歯車４１の一端には前記従動傘歯車４１と噛み合える駆動傘歯車４２が回転できるように設置され、前記駆動傘歯車４２の下端には伝動軸４３が固定的に設置され、前記伝動軸４３の下端が前記平歯車チャンバ２０の中に伸びており、且つ前記伝動軸４３の下端には従動平歯車４４が固定的に設置され、両側の前記従動平歯車４４の間にはそれぞれ両側の前記従動平歯車４４と噛み合い、且つ前記回転柱１９に固定的に連結される駆動平歯車４５が回転できるように設置され、前記回転柱１９の上端が前記傘歯車チャンバ２１の中に伸びて動力傘歯車４６と固定的に連結され、前記動力傘歯車４６の下端と前記傘歯車チャンバ２１の下壁との間にはねじりばね４７が固定的に連結され、前記動力傘歯車４６の前後左右の四つの方向においては前記動力傘歯車４６と噛み合う伝動傘歯車４８が回転できるように設置され、前記ねじボルト３５が前記伝動傘歯車４８に固定的に連結されており、
前記回転盤１８を回し、前記回転柱１９によって前記支持装置１０１を連動させて作動させる。
【００１６】
有益的には、前記解錠装置１０３は前記傘歯車チャンバ２１の下側に設置される解錠チャンバ４９を含み、前記解錠チャンバ４９の中には解錠ブロック５０がスライドできるように設けられ、前記解錠ブロック５０の下端にはラチェット５１が固定的に設置され、前記解錠ブロック５０と前記ラチェット５１の中には抜き穴５２が上下に貫通して設置され、前記回転柱１９が前記抜き穴５２を通り抜け、且つ前記回転柱１９には前記ラチェット５１と一方向に噛み合う内ラチェット５３が固定的に連結され、前記抜き穴５２の外側において前記解錠ブロック５０の中には固定ロッドチャンバ５４が連通して設けられ、前記伸縮チャンバ２５の左右両側には固定ロッドスライドチャンバ５５が対称的に連通して設けられ、前記伸縮ロッド２６の上端には前記固定ロッドスライドチャンバ５５を通り抜けて前記固定ロッドチャンバ５４の中に伸びている固定ロッド５６が左右に対称的に固定的に設置され、前記解錠ブロック５０の左右両側には復帰装置６０が設けられ、前記復帰装置６０によって前記解錠ブロック５０の下への摺動と復帰を制御でき、
前記固定ロッド５６が前記固定ロッドチャンバ５４の中で回転でき、前記固定ロッド５６によって前記ラチェット５１を上昇連動させて前記内ラチェット５３と噛合状態から離脱させてロックを解除する。
【００１７】
初期状態のとき、弾性板１３が鉛直状態にあり、支持ロッド１５がチャンバ１４の中に収縮しており、押しロッド１６が押しロッドチャンバ３１の中に収縮しており、昇降ブロック３７が昇降チャンバ３６の中に収縮している。
【００１８】
広がる時、回転盤１８を回し、回転柱１９によって駆動平歯車４５と動力傘歯車４６を回転連動させ、駆動平歯車４５が歯車噛合によって従動平歯車４４を回転連動させ、伝動軸４３によって駆動傘歯車４２を回転連動させ、歯車噛合によって従動傘歯車４１を回転連動させて歯車４０を回転連動させ、歯型噛合によってラック３０を連動させて遠離し合わせさせ、支持ロッド１５によって弾性板１３の下端を外に回転連動させ、この時動力傘歯車４６が歯車噛合によって伝動傘歯車４８を回転連動させてねじボルト３５を回転連動させ、ねじ山による連結を通じて押しロッド１６を外に移動連動させ、スライドロッド３３がスライド溝３２に沿ってスライドして弾性板１３の中部を外に突いて弧状に形成し、この時押しロッド１６がヒンジロッド３８によって昇降ブロック３７を上昇連動させて上支持ブロック１７を上昇連動させ、それからニット帽を本装置に被せて展示し、内ラチェット５３とラチェット５１が一方向に噛み合って回転できなく、ニーズに応じて回転盤１８を回して調整でき、
回収する時、押圧板２３を押し、伸縮ロッド２６によって固定ロッド５６を上に移動連動させ、解錠ブロック５０を押し動かして上昇させ、この時ラチェット５１と内ラチェット５３とが噛合から離脱し、ねじりばね４７の弾力によって装置が逆方向に回転してリセットされる。
【００１９】
本発明の有益効果は：本発明は構造が簡単で、操作が便利で、本装置を使ってニット帽を展示する時、ニーズに応じてサイズを調整でき、使わない時に収縮して収納に便利を与える。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年8月15日(2019.8.15)
【手続補正１】
【補正対象書類名】特許請求の範囲
【補正対象項目名】請求項１
【補正方法】変更
【補正の内容】
【請求項１】
収納可能なニット帽展示装置であって、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結されており、
前記回転盤を回して前記弾性板と前記上支持ブロックを連動させて支持を行わせ、前記押圧板を押圧して前記解錠装置のロックを自動的に解除でき、
使用者はニット帽を前記上支持ブロック及び前記弾性板により形成した外側面に被せることができることを特徴とする収納可能なニット帽展示装置。
【手続補正２】
【補正対象書類名】明細書
【補正対象項目名】全文
【補正方法】変更
【補正の内容】
【発明の詳細な説明】
【技術分野】
【０００１】
本発明は商品道具技術分野に関し、具体的には収納可能なニット帽展示装置である。
【背景技術】
【０００２】
ショッピングモールには帽子専門店の軒が多く、帽子の魅力をより良く展示するため、マネキンヘッドに帽子がかぶられている風景がよく見られており、
しかし、もし展示するニット帽が多いであれば、マネキンヘッドの収納にはかなりの空間が占められ、不便をもたらし、そのため、収納可能なニット帽展示装置は実に必要であり、本発明装置は収納の機能を果たすだけでなく、サイズを換えて異なった帽子に適応できる。
【先行技術文献】
【特許文献】
【０００３】
【特許文献１】中国特許出願公開第109171343号明細書
【発明の概要】
【発明が解決しようとする課題】
【０００４】
本発明の目的は収納可能なニット帽展示装置を提供し、それは上記の現在の技術中の問題を解決できる。
【課題を解決するための手段】
【０００５】
本発明は以下の技術プランを通じて実現する：本発明の収納可能なニット帽展示装置は、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結されており、
前記回転盤を回して前記弾性板と前記上支持ブロックを連動させて支持を行わせ、前記押圧板を押圧して前記解錠装置のロックを自動的に解除でき、使用者はニット帽を前記上支持ブロック及び前記弾性板により形成した外側面に被せることができる。
【０００６】
優選的には、前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置されており、
前記スライドブロックが前記支持ロッドを移動連動させ、前記押しロッドが移動する時前記上支持ブロックを昇降連動させる。
【０００７】
優選的には、前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結されており、
前記回転盤を回し、前記回転柱によって前記支持装置を連動させて作動させる。
【０００８】
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御でき、
前記固定ロッドが前記固定ロッドチャンバの中で回転でき、前記固定ロッドによって前記ラチェットを上昇連動させて前記内ラチェットと噛合状態から離脱させてロックを解除する。
【発明の効果】
【０００９】
本発明の有益効果は：本発明は構造が簡単で、操作が便利で、本装置を使ってニット帽を展示する時、ニーズに応じてサイズを調整でき、使わない時に収縮して収納に便利を与える。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の収納可能なニット帽展示装置の内部全体構成略図
【図２】図２は図１のＡの拡大略図
【図３】図３は図１のＢの拡大略図
【発明を実施するための形態】
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３を参照し、本発明の収納可能なニット帽展示装置は、主体１１を含み、前記主体１１の中には支持装置１０１が設置され、前記主体１１の下側には回転装置１０２が設置され、前記回転装置１０２の中には解錠装置１０３が設置され、前記支持装置１０１は前記主体１１の前後左右四側の端面に設置される回転できる弾性板１３を含み、前記主体１１の中には外に開口したチャンバ１４が環状の陳列で設置され、前記チャンバ１４の中には支持ロッド１５が設置され、前記支持ロッド１５の一端が前記弾性板１３の下端にヒンジによって連結され、前記支持ロッド１５の上側には押しロッド１６が設けられ、前記主体１１の上側には上支持ブロック１７が設けられ、前記回転装置１０２が前記主体１１の下側に位置する回転盤１８を含み、前記回転盤１８の上端には前記主体１１の中に伸びている回転柱１９が固定的に設置され、前記主体１１の中には平歯車チャンバ２０が設置され、前記主体１１の中の中部位置には傘歯車チャンバ２１が設置され、前記回転柱１９が前記平歯車チャンバ２０を通り抜けて前記傘歯車チャンバ２１の中に伸びており、前記解錠装置１０３は前記回転盤１８の中に設置される下に開口した押圧チャンバ２２を含み、前記押圧チャンバ２２の中には押圧板２３がスライドできるように設置され、前記押圧板２３の上端と前記押圧チャンバ２２の上端壁との間には押圧ばね２４が固定的に連結され、前記押圧チャンバ２２の上側には前記回転柱１９の中に伸びている伸縮チャンバ２５が連通して設置され、前記押圧板２３の上端には前記伸縮チャンバ２５の中に伸びている伸縮ロッド２６が固定的に連結されており、
前記回転盤１８を回して前記弾性板１３と前記上支持ブロック１７を連動させて支持を行わせ、前記押圧板２３を押圧して前記解錠装置１０３のロックを自動的に解除でき、使用者はニット帽を前記上支持ブロック１７及び前記弾性板１３により形成した外側面に被せることができる。
【００１４】
有益的には、前記支持装置１０１は前記チャンバ１４の下側に連通して設けられるスライドチャンバ２７を含み、前記スライドチャンバ２７の中にはスライドブロック２８がスライドできるように設けられ、前記スライドブロック２８の下端面にはラック３０が固定的に設置され、前記支持ロッド１５の一端が前記スライドブロック２８の上端にヒンジによって連結され、前記チャンバ１４の上側には外に開口した押しロッドチャンバ３１が対応的に設置され、前記押しロッド１６が前記押しロッドチャンバ３１の中にスライドできるように設けられ、前記弾性板１３の中にはスライド溝３２が前後に貫通して設置され、前記押しロッド１６の一端には前記スライド溝３２の中に伸びているスライドロッド３３が固定的に連結され、前記押しロッド１６の中にはねじ山チャンバ３４が設置され、前記ねじ山チャンバ３４の中にはねじボルト３５がねじ山によって連結され、前記押しロッドチャンバ３１の上側には前記押しロッドチャンバ３１と対応する昇降チャンバ３６が連通して設けられ、前記昇降チャンバ３６の中には昇降ブロック３７がスライドできるように設置され、前記昇降ブロック３７の下端面の一端にはヒンジロッド３８がヒンジによって連結され、前記ヒンジロッド３８の下端が前記押しロッド１６の上端面の一端にヒンジによって連結され、前記上支持ブロック１７が前記昇降ブロック３７の上端に固定的に設置されており、
前記スライドブロック２８が前記支持ロッド１５を移動連動させ、前記押しロッド１６が移動する時前記上支持ブロック１７を昇降連動させる。
【００１５】
有益的には、前記回転装置１０２は前記スライドチャンバ２７の下側に連通して設けられる伝動チャンバ３９を含み、前記伝動チャンバ３９の中には前記ラック３０と噛み合う歯車４０が回転できるように設置され、前記歯車４０の一端には従動傘歯車４１が固定的に連結され、前記従動傘歯車４１の一端には前記従動傘歯車４１と噛み合える駆動傘歯車４２が回転できるように設置され、前記駆動傘歯車４２の下端には伝動軸４３が固定的に設置され、前記伝動軸４３の下端が前記平歯車チャンバ２０の中に伸びており、且つ前記伝動軸４３の下端には従動平歯車４４が固定的に設置され、両側の前記従動平歯車４４の間にはそれぞれ両側の前記従動平歯車４４と噛み合い、且つ前記回転柱１９に固定的に連結される駆動平歯車４５が回転できるように設置され、前記回転柱１９の上端が前記傘歯車チャンバ２１の中に伸びて動力傘歯車４６と固定的に連結され、前記動力傘歯車４６の下端と前記傘歯車チャンバ２１の下壁との間にはねじりばね４７が固定的に連結され、前記動力傘歯車４６の前後左右の四つの方向においては前記動力傘歯車４６と噛み合う伝動傘歯車４８が回転できるように設置され、前記ねじボルト３５が前記伝動傘歯車４８に固定的に連結されており、
前記回転盤１８を回し、前記回転柱１９によって前記支持装置１０１を連動させて作動させる。
【００１６】
有益的には、前記解錠装置１０３は前記傘歯車チャンバ２１の下側に設置される解錠チャンバ４９を含み、前記解錠チャンバ４９の中には解錠ブロック５０がスライドできるように設けられ、前記解錠ブロック５０の下端にはラチェット５１が固定的に設置され、前記解錠ブロック５０と前記ラチェット５１の中には抜き穴５２が上下に貫通して設置され、前記回転柱１９が前記抜き穴５２を通り抜け、且つ前記回転柱１９には前記ラチェット５１と一方向に噛み合う内ラチェット５３が固定的に連結され、前記抜き穴５２の外側において前記解錠ブロック５０の中には固定ロッドチャンバ５４が連通して設けられ、前記伸縮チャンバ２５の左右両側には固定ロッドスライドチャンバ５５が対称的に連通して設けられ、前記伸縮ロッド２６の上端には前記固定ロッドスライドチャンバ５５を通り抜けて前記固定ロッドチャンバ５４の中に伸びている固定ロッド５６が左右に対称的に固定的に設置され、前記解錠ブロック５０の左右両側には復帰装置６０が設けられ、前記復帰装置６０によって前記解錠ブロック５０の下への摺動と復帰を制御でき、
前記固定ロッド５６が前記固定ロッドチャンバ５４の中で回転でき、前記固定ロッド５６によって前記ラチェット５１を上昇連動させて前記内ラチェット５３と噛合状態から離脱させてロックを解除する。
【００１７】
初期状態のとき、弾性板１３が鉛直状態にあり、支持ロッド１５がチャンバ１４の中に収縮しており、押しロッド１６が押しロッドチャンバ３１の中に収縮しており、昇降ブロック３７が昇降チャンバ３６の中に収縮している。
【００１８】
広がる時、回転盤１８を回し、回転柱１９によって駆動平歯車４５と動力傘歯車４６を回転連動させ、駆動平歯車４５が歯車噛合によって従動平歯車４４を回転連動させ、伝動軸４３によって駆動傘歯車４２を回転連動させ、歯車噛合によって従動傘歯車４１を回転連動させて歯車４０を回転連動させ、歯型噛合によってラック３０を連動させて遠離し合わせさせ、支持ロッド１５によって弾性板１３の下端を外に回転連動させ、この時動力傘歯車４６が歯車噛合によって伝動傘歯車４８を回転連動させてねじボルト３５を回転連動させ、ねじ山による連結を通じて押しロッド１６を外に移動連動させ、スライドロッド３３がスライド溝３２に沿ってスライドして弾性板１３の中部を外に突いて弧状に形成し、この時押しロッド１６がヒンジロッド３８によって昇降ブロック３７を上昇連動させて上支持ブロック１７を上昇連動させ、それからニット帽を本装置に被せて展示し、内ラチェット５３とラチェット５１が一方向に噛み合って回転できなく、ニーズに応じて回転盤１８を回して調整でき、
回収する時、押圧板２３を押し、伸縮ロッド２６によって固定ロッド５６を上に移動連動させ、解錠ブロック５０を押し動かして上昇させ、この時ラチェット５１と内ラチェット５３とが噛合から離脱し、ねじりばね４７の弾力によって装置が逆方向に回転してリセットされる。
【００１９】
本発明の有益効果は：本発明は構造が簡単で、操作が便利で、本装置を使ってニット帽を展示する時、ニーズに応じてサイズを調整でき、使わない時に収縮して収納に便利を与える。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
収納可能なニット帽展示装置であって、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結されており、
前記回転盤を手動で回して前記弾性板と前記上支持ブロックを連動させて支持を行わせ、前記押圧板を押圧して前記解錠装置のロックを自動的に解除でき、
使用者はニット帽を前記上支持ブロック及び前記弾性板により形成した外側面に被せることができ、
前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置されており、
前記スライドブロックが前記支持ロッドを移動連動させ、前記押しロッドが移動する時前記上支持ブロックを昇降連動させ、
前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結されており、
前記回転盤を手動で回し、前記回転柱によって前記支持装置を連動させて作動させ、
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御でき、
前記固定ロッドが前記固定ロッドチャンバの中で回転でき、前記固定ロッドによって前記ラチェットを上昇連動させて前記内ラチェットと噛合状態から離脱させてロックを解除することを特徴とする収納可能なニット帽展示装置。
【手続補正２】
【補正対象書類名】明細書
【補正対象項目名】全文
【補正方法】変更
【補正の内容】
【発明の詳細な説明】
【技術分野】
【０００１】
本発明は商品道具技術分野に関し、具体的には収納可能なニット帽展示装置である。
【背景技術】
【０００２】
ショッピングモールには帽子専門店の軒が多く、帽子の魅力をより良く展示するため、マネキンヘッドに帽子がかぶられている風景がよく見られており、
しかし、もし展示するニット帽が多いであれば、マネキンヘッドの収納にはかなりの空間が占められ、不便をもたらし、そのため、収納可能なニット帽展示装置は実に必要であり、本発明装置は収納の機能を果たすだけでなく、サイズを換えて異なった帽子に適応できる。
【先行技術文献】
【特許文献】
【０００３】
【特許文献１】中国特許出願公開第１０９１７１３４３号明細書
【発明の概要】
【発明が解決しようとする課題】
【０００４】
本発明の目的は収納可能なニット帽展示装置を提供し、それは上記の現在の技術中の問題を解決できる。
【課題を解決するための手段】
【０００５】
本発明は以下の技術プランを通じて実現する：本発明の収納可能なニット帽展示装置は、主体を含み、前記主体の中には支持装置が設置され、前記主体の下側には回転装置が設置され、前記回転装置の中には解錠装置が設置され、前記支持装置は前記主体の前後左右四側の端面に設置される回転できる弾性板を含み、前記主体の中には外に開口したチャンバが環状の陳列で設置され、前記チャンバの中には支持ロッドが設置され、前記支持ロッドの一端が前記弾性板の下端にヒンジによって連結され、前記支持ロッドの上側には押しロッドが設けられ、前記主体の上側には上支持ブロックが設けられ、前記回転装置が前記主体の下側に位置する回転盤を含み、前記回転盤の上端には前記主体の中に伸びている回転柱が固定的に設置され、前記主体の中には平歯車チャンバが設置され、前記主体の中の中部位置には傘歯車チャンバが設置され、前記回転柱が前記平歯車チャンバを通り抜けて前記傘歯車チャンバの中に伸びており、前記解錠装置は前記回転盤の中に設置される下に開口した押圧チャンバを含み、前記押圧チャンバの中には押圧板がスライドできるように設置され、前記押圧板の上端と前記押圧チャンバの上端壁との間には押圧ばねが固定的に連結され、前記押圧チャンバの上側には前記回転柱の中に伸びている伸縮チャンバが連通して設置され、前記押圧板の上端には前記伸縮チャンバの中に伸びている伸縮ロッドが固定的に連結されており、
前記回転盤を手動で回して前記弾性板と前記上支持ブロックを連動させて支持を行わせ、前記押圧板を押圧して前記解錠装置のロックを自動的に解除でき、使用者はニット帽を前記上支持ブロック及び前記弾性板により形成した外側面に被せることができる。
【０００６】
優選的には、前記支持装置は前記チャンバの下側に連通して設けられるスライドチャンバを含み、前記スライドチャンバの中にはスライドブロックがスライドできるように設けられ、前記スライドブロックの下端面にはラックが固定的に設置され、前記支持ロッドの一端が前記スライドブロックの上端にヒンジによって連結され、前記チャンバの上側には外に開口した押しロッドチャンバが対応的に設置され、前記押しロッドが前記押しロッドチャンバの中にスライドできるように設けられ、前記弾性板の中にはスライド溝が前後に貫通して設置され、前記押しロッドの一端には前記スライド溝の中に伸びているスライドロッドが固定的に連結され、前記押しロッドの中にはねじ山チャンバが設置され、前記ねじ山チャンバの中にはねじボルトがねじ山によって連結され、前記押しロッドチャンバの上側には前記押しロッドチャンバと対応する昇降チャンバが連通して設けられ、前記昇降チャンバの中には昇降ブロックがスライドできるように設置され、前記昇降ブロックの下端面の一端にはヒンジロッドがヒンジによって連結され、前記ヒンジロッドの下端が前記押しロッドの上端面の一端にヒンジによって連結され、前記上支持ブロックが前記昇降ブロックの上端に固定的に設置されており、
前記スライドブロックが前記支持ロッドを移動連動させ、前記押しロッドが移動する時前記上支持ブロックを昇降連動させる。
【０００７】
優選的には、前記回転装置は前記スライドチャンバの下側に連通して設けられる伝動チャンバを含み、前記伝動チャンバの中には前記ラックと噛み合う歯車が回転できるように設置され、前記歯車の一端には従動傘歯車が固定的に連結され、前記従動傘歯車の一端には前記従動傘歯車と噛み合える駆動傘歯車が回転できるように設置され、前記駆動傘歯車の下端には伝動軸が固定的に設置され、前記伝動軸の下端が前記平歯車チャンバの中に伸びており、且つ前記伝動軸の下端には従動平歯車が固定的に設置され、両側の前記従動平歯車の間にはそれぞれ両側の前記従動平歯車と噛み合い、且つ前記回転柱に固定的に連結される駆動平歯車が回転できるように設置され、前記回転柱の上端が前記傘歯車チャンバの中に伸びて動力傘歯車と固定的に連結され、前記動力傘歯車の下端と前記傘歯車チャンバの下壁との間にはねじりばねが固定的に連結され、前記動力傘歯車の前後左右の四つの方向においては前記動力傘歯車と噛み合う伝動傘歯車が回転できるように設置され、前記ねじボルトが前記伝動傘歯車に固定的に連結されており、
前記回転盤を手動で回し、前記回転柱によって前記支持装置を連動させて作動させる。
【０００８】
前記解錠装置は前記傘歯車チャンバの下側に設置される解錠チャンバを含み、前記解錠チャンバの中には解錠ブロックがスライドできるように設けられ、前記解錠ブロックの下端にはラチェットが固定的に設置され、前記解錠ブロックと前記ラチェットの中には抜き穴が上下に貫通して設置され、前記回転柱が前記抜き穴を通り抜け、且つ前記回転柱には前記ラチェットと一方向に噛み合う内ラチェットが固定的に連結され、前記抜き穴の外側において前記解錠ブロックの中には固定ロッドチャンバが連通して設けられ、前記伸縮チャンバの左右両側には固定ロッドスライドチャンバが対称的に連通して設けられ、前記伸縮ロッドの上端には前記固定ロッドスライドチャンバを通り抜けて前記固定ロッドチャンバの中に伸びている固定ロッドが左右に対称的に固定的に設置され、前記解錠ブロックの左右両側には復帰装置が設けられ、前記復帰装置によって前記解錠ブロックの下への摺動と復帰を制御でき、
前記固定ロッドが前記固定ロッドチャンバの中で回転でき、前記固定ロッドによって前記ラチェットを上昇連動させて前記内ラチェットと噛合状態から離脱させてロックを解除する。
【発明の効果】
【０００９】
本発明の有益効果は：本発明は構造が簡単で、操作が便利で、本装置を使ってニット帽を展示する時、ニーズに応じてサイズを調整でき、使わない時に収縮して収納に便利を与える。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の収納可能なニット帽展示装置の内部全体構成略図
【図２】図２は図１のＡの拡大略図
【図３】図３は図１のＢの拡大略図
【発明を実施するための形態】
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３を参照し、本発明の収納可能なニット帽展示装置は、主体１１を含み、前記主体１１の中には支持装置１０１が設置され、前記主体１１の下側には回転装置１０２が設置され、前記回転装置１０２の中には解錠装置１０３が設置され、前記支持装置１０１は前記主体１１の前後左右四側の端面に設置される回転できる弾性板１３を含み、前記主体１１の中には外に開口したチャンバ１４が環状の陳列で設置され、前記チャンバ１４の中には支持ロッド１５が設置され、前記支持ロッド１５の一端が前記弾性板１３の下端にヒンジによって連結され、前記支持ロッド１５の上側には押しロッド１６が設けられ、前記主体１１の上側には上支持ブロック１７が設けられ、前記回転装置１０２が前記主体１１の下側に位置する回転盤１８を含み、前記回転盤１８の上端には前記主体１１の中に伸びている回転柱１９が固定的に設置され、前記主体１１の中には平歯車チャンバ２０が設置され、前記主体１１の中の中部位置には傘歯車チャンバ２１が設置され、前記回転柱１９が前記平歯車チャンバ２０を通り抜けて前記傘歯車チャンバ２１の中に伸びており、前記解錠装置１０３は前記回転盤１８の中に設置される下に開口した押圧チャンバ２２を含み、前記押圧チャンバ２２の中には押圧板２３がスライドできるように設置され、前記押圧板２３の上端と前記押圧チャンバ２２の上端壁との間には押圧ばね２４が固定的に連結され、前記押圧チャンバ２２の上側には前記回転柱１９の中に伸びている伸縮チャンバ２５が連通して設置され、前記押圧板２３の上端には前記伸縮チャンバ２５の中に伸びている伸縮ロッド２６が固定的に連結されており、
前記回転盤１８を手動で回して前記弾性板１３と前記上支持ブロック１７を連動させて支持を行わせ、前記押圧板２３を押圧して前記解錠装置１０３のロックを自動的に解除でき、使用者はニット帽を前記上支持ブロック１７及び前記弾性板１３により形成した外側面に被せることができる。
【００１４】
有益的には、前記支持装置１０１は前記チャンバ１４の下側に連通して設けられるスライドチャンバ２７を含み、前記スライドチャンバ２７の中にはスライドブロック２８がスライドできるように設けられ、前記スライドブロック２８の下端面にはラック３０が固定的に設置され、前記支持ロッド１５の一端が前記スライドブロック２８の上端にヒンジによって連結され、前記チャンバ１４の上側には外に開口した押しロッドチャンバ３１が対応的に設置され、前記押しロッド１６が前記押しロッドチャンバ３１の中にスライドできるように設けられ、前記弾性板１３の中にはスライド溝３２が前後に貫通して設置され、前記押しロッド１６の一端には前記スライド溝３２の中に伸びているスライドロッド３３が固定的に連結され、前記押しロッド１６の中にはねじ山チャンバ３４が設置され、前記ねじ山チャンバ３４の中にはねじボルト３５がねじ山によって連結され、前記押しロッドチャンバ３１の上側には前記押しロッドチャンバ３１と対応する昇降チャンバ３６が連通して設けられ、前記昇降チャンバ３６の中には昇降ブロック３７がスライドできるように設置され、前記昇降ブロック３７の下端面の一端にはヒンジロッド３８がヒンジによって連結され、前記ヒンジロッド３８の下端が前記押しロッド１６の上端面の一端にヒンジによって連結され、前記上支持ブロック１７が前記昇降ブロック３７の上端に固定的に設置されており、
前記スライドブロック２８が前記支持ロッド１５を移動連動させ、前記押しロッド１６が移動する時前記上支持ブロック１７を昇降連動させる。
【００１５】
有益的には、前記回転装置１０２は前記スライドチャンバ２７の下側に連通して設けられる伝動チャンバ３９を含み、前記伝動チャンバ３９の中には前記ラック３０と噛み合う歯車４０が回転できるように設置され、前記歯車４０の一端には従動傘歯車４１が固定的に連結され、前記従動傘歯車４１の一端には前記従動傘歯車４１と噛み合える駆動傘歯車４２が回転できるように設置され、前記駆動傘歯車４２の下端には伝動軸４３が固定的に設置され、前記伝動軸４３の下端が前記平歯車チャンバ２０の中に伸びており、且つ前記伝動軸４３の下端には従動平歯車４４が固定的に設置され、両側の前記従動平歯車４４の間にはそれぞれ両側の前記従動平歯車４４と噛み合い、且つ前記回転柱１９に固定的に連結される駆動平歯車４５が回転できるように設置され、前記回転柱１９の上端が前記傘歯車チャンバ２１の中に伸びて動力傘歯車４６と固定的に連結され、前記動力傘歯車４６の下端と前記傘歯車チャンバ２１の下壁との間にはねじりばね４７が固定的に連結され、前記動力傘歯車４６の前後左右の四つの方向においては前記動力傘歯車４６と噛み合う伝動傘歯車４８が回転できるように設置され、前記ねじボルト３５が前記伝動傘歯車４８に固定的に連結されており、
前記回転盤１８を手動で回し、前記回転柱１９によって前記支持装置１０１を連動させて作動させる。
【００１６】
有益的には、前記解錠装置１０３は前記傘歯車チャンバ２１の下側に設置される解錠チャンバ４９を含み、前記解錠チャンバ４９の中には解錠ブロック５０がスライドできるように設けられ、前記解錠ブロック５０の下端にはラチェット５１が固定的に設置され、前記解錠ブロック５０と前記ラチェット５１の中には抜き穴５２が上下に貫通して設置され、前記回転柱１９が前記抜き穴５２を通り抜け、且つ前記回転柱１９には前記ラチェット５１と一方向に噛み合う内ラチェット５３が固定的に連結され、前記抜き穴５２の外側において前記解錠ブロック５０の中には固定ロッドチャンバ５４が連通して設けられ、前記伸縮チャンバ２５の左右両側には固定ロッドスライドチャンバ５５が対称的に連通して設けられ、前記伸縮ロッド２６の上端には前記固定ロッドスライドチャンバ５５を通り抜けて前記固定ロッドチャンバ５４の中に伸びている固定ロッド５６が左右に対称的に固定的に設置され、前記解錠ブロック５０の左右両側には復帰装置６０が設けられ、前記復帰装置６０によって前記解錠ブロック５０の下への摺動と復帰を制御でき、
前記固定ロッド５６が前記固定ロッドチャンバ５４の中で回転でき、前記固定ロッド５６によって前記ラチェット５１を上昇連動させて前記内ラチェット５３と噛合状態から離脱させてロックを解除する。
【００１７】
初期状態のとき、弾性板１３が鉛直状態にあり、支持ロッド１５がチャンバ１４の中に収縮しており、押しロッド１６が押しロッドチャンバ３１の中に収縮しており、昇降ブロック３７が昇降チャンバ３６の中に収縮している。
【００１８】
広がる時、回転盤１８を手動で回し、回転柱１９によって駆動平歯車４５と動力傘歯車４６を回転連動させ、駆動平歯車４５が歯車噛合によって従動平歯車４４を回転連動させ、伝動軸４３によって駆動傘歯車４２を回転連動させ、歯車噛合によって従動傘歯車４１を回転連動させて歯車４０を回転連動させ、歯型噛合によってラック３０を連動させて遠離し合わせさせ、支持ロッド１５によって弾性板１３の下端を外に回転連動させ、この時動力傘歯車４６が歯車噛合によって伝動傘歯車４８を回転連動させてねじボルト３５を回転連動させ、ねじ山による連結を通じて押しロッド１６を外に移動連動させ、スライドロッド３３がスライド溝３２に沿ってスライドして弾性板１３の中部を外に突いて弧状に形成し、この時押しロッド１６がヒンジロッド３８によって昇降ブロック３７を上昇連動させて上支持ブロック１７を上昇連動させ、それからニット帽を本装置に被せて展示し、内ラチェット５３とラチェット５１が一方向に噛み合って回転できなく、ニーズに応じて回転盤１８を手動で回して調整でき、
回収する時、押圧板２３を押し、伸縮ロッド２６によって固定ロッド５６を上に移動連動させ、解錠ブロック５０を押し動かして上昇させ、この時ラチェット５１と内ラチェット５３とが噛合から離脱し、ねじりばね４７の弾力によって装置が逆方向に回転してリセットされる。
【００１９】
本発明の有益効果は：本発明は構造が簡単で、操作が便利で、本装置を使ってニット帽を展示する時、ニーズに応じてサイズを調整でき、使わない時に収縮して収納に便利を与える。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。